(57)【特許請求の範囲】
【請求項１】
シールパッキン１を内面に周設した受口２を両端に備え且つ途中複数個所に散水ノズル３を枝管４を介して備えた送水管５を長尺コンクリートブロック６に対して、当該送水管５の両端の受口２が同長尺コンクリートブロック６の両端面に開放する状態および各散水ノズル３の散水口７が長尺コンクリートブロック６の上面に開放する状態として埋設した多数個の配管ブロック８を構成し、またこれとは別個に金属製短管９の両端部個所１１を同個所１１の外周面が先端に向うに従って徐々に緩やかなカーブを呈して細くなる形状で縮径し、当該縮径個所１２の先端部１３の内周面を削り落し加工により短管９の中心軸と略平行する向きの面となして同先端部１３の内径を削り落し加工前よりも径大とした多数個の連結管１４を構成し、これ等連結管１４の端部１５を隣り合う配管ブロック８の相互に対面する受口２に差込んで当該連結管１４の端部寄り個所の外周面とシールパッキン１の内周面とを水密に圧着した状態とし、この圧着状態において隣り合う配管ブロック８同士の隙間に目地材１６を詰込んでなることを特徴とする融雪用配管ブロック構造。
【請求項２】
連結管１４が中間部で屈曲若くは分岐した形状であることを特徴とする請求項１記載の融雪用配管ブロック構造。
【請求項３】
連結管１４がステンレス製であることを特徴とする請求項１または２記載の融雪用配管ブロック構造。
【発明の詳細な説明】
【０００１】
【発明が属する技術分野】
本発明は、路面に埋設される配管ブロック同士を連結管により連結して得るようにした、道路や駐車場などの路面に降った雪に地下水を散水して融雪するための融雪用配管ブロック構造に関するものである。
【０００２】
【従来の技術】
従来知られているこの種の配管ブロックの連結は、たとえば図９に示すような要領で行っていた。すなわち、直列に敷き並べた配管ブロック２０における送水管２１の受口２２同士を、同図に示すように、単に長尺管から単に寸切することにより得た短管２３の端部２４を受口２２に差し込むことにより連結していた。
【０００３】
しかしながら、このような連結の構造には、寸切により得た短管２３が端から端まで同じ径で且つ受口２２の内周面に周設されているシールパッキン２５の内周径より僅かに太い径であったために、上記差込作業のときにはシールパッキン２５に対して傷をつけ易いという問題点があった。
【０００４】
本発明は、上記問題点を解消するのに極めて好適な新規の、配管ブロックの連結構造をもつ融雪用配管ブロック構造を提供することを目的とする。
【０００５】
【課題を解決するための手段】
上記目的を達成するために本発明に係る融雪用配管ブロック構造は、シールパッキン１を内面に周設した受口２を両端に備え且つ途中複数個所に散水ノズル３を枝管４を介して備えた送水管５を長尺コンクリートブロック６に対して、当該送水管５の両端の受口２が同長尺コンクリートブロック６の両端面に開放する状態および各散水ノズル３の散水口７が長尺コンクリートブロック６の上面に開放する状態として埋設した多数個の配管ブロック８を構成し、またこれとは別個に金属製短管９の端部個所１１を同個所１１の外周面が先端に向うに従って徐々に緩やかなカーブを呈して細くなる形状で縮径し、当該縮径個所１２の先端部１３の内周面を削り落し加工により短管９の中心軸と略平行する向きの面となして同先端部１３の内径を削り落し加工前よりも径大とした多数個の連結管１４を構成し、これ等連結管１４の端部１５を隣り合う配管ブロック８の相互に対面する受口２に差込んで当該連結管１４の端部寄り個所の外周面とシールパッキン１の内周面とを水密に圧着した状態とし、この圧着状態において隣り合う配管ブロック８同士の隙間に目地材１６を詰込んでなることを特徴とするものである。
【０００６】
【実施例】
図１に示す実施例は、スチレンブタジエンゴム製のシールパッキン１を内面に周設した受口２を両端に一体に延設し且つ途中複数個所に散水ノズル３を塩化ビニール管製の枝管４を介して備えた塩化ビニール管の製送水管５を長尺コンクリートブロック６に対して、当該送水管５の両端の受口２が同長尺コンクリートブロック６の両端面に開放する状態および各散水ノズル３の散水口７が長尺コンクリートブロック６の上面に開放する状態として埋設した多数個の配管ブロック８を構成する。
【０００７】
また、この配管ブロック８とは別個にステンレス製の長尺管から寸切することにより得た短管９の両端部個所１１を同個所１１の外周面が先端に向うに従って徐々に緩やかなカーブを呈して細くなる形状で縮径し、当該縮径個所１２の先端部１３の内周面を削り落し加工により短管９の中心軸と略平行する向きの面となして同先端部１３の内径を削り落し加工前よりも径大とすることによって多数個の連結管１４を構成し、これ等連結管１４の中央部外面に差込み量の目視による確認を可能とするための左右一対のストッパー１６を突設する。
【０００８】
これ等接続管１４の両端部１５を隣り合う配管ブロック８の相互に対面する受口２に差し込んで当該接続管１４の両端部寄り個所の外周面とシールパッキン１の内周面とを水密に圧着した状態とし、この圧着状態において隣り合う配管ブロック８同士の隙間にエラスタイト、パテブチゴム、セメントミルク等の目地材１６を詰込み、よって配管ブロック同士の連結を行うようにしたものである。
【０００９】
次に、配管ブロック８の施工について説明する。
まず、配管ブロック８を敷設する埋設溝を路面に掘削し、この埋設溝の底面を突き固めて平坦にしたのち、複数の配管ブロック８をこれ等配管ブロック８の端面同士が向い合った一列配列を呈するように敷き並べて、隣合う両配管ブロック８の送水管５の受口２に連結管１４の両端部を差込んで当該連結管１４の端部寄り個所の外周面とシールパッキン１の内周面とを圧接状態とすることによって両配管ブロック８の送水管５同士を連結の状態とし、この連結した配管ブロック８の端面間の隙間に目地材１３を充填し、然るのちに埋設溝を埋め戻してからアスファルト等の舗装工事を行って施工作業を完了する。
【００１０】
図５〜図８は他の形態の連結管１４を示すもので、配管ブロック８同士を連結する連結管１４の中間部を屈曲させたり分岐させたりしたものであって、配管ブロック敷設用の埋設溝が折れ曲っていたり分岐していたりしている個所に用いて好都合な形としたものである。
【００１１】
【発明の効果】
本発明の請求項１に係る融雪用配管ブロック構造は、シールパッキン１を内面に周設した受口２を両端に備え且つ途中複数個所に散水ノズル３を枝管４を介して備えた送水管５を長尺コンクリートブロック６に対して、当該送水管５の両端の受口２が同長尺コンクリートブロック６の両端面に開放する状態および各散水ノズル３の散水口７が長尺コンクリートブロック６の上面に開放する状態として埋設した多数個の配管ブロック８を構成し、またこれとは別個に金属製短管９の両端部個所１１を同個所１１の外周面が先端に向うに従って徐々に緩やかなカーブを呈して細くなる形状で縮径し、当該縮径個所１２の先端部１３の内周面を削り落し加工により短管９の中心軸と略平行する向きの面となして同先端部１３の内径を削り落し加工前よりも径大とした多数個の連結管１４を構成し、これ等連結管１４の端部１５を隣り合う配管ブロック８の相互に対面する受口２に差込んで当該連結管１４の端部寄り個所の外周面とシールパッキン１の内周面とを水密に圧着した状態とし、この圧着状態において隣り合う配管ブロック８同士の隙間に目地材１６を詰込んでなるので、要するに、連結管１４の端部個所１１を同個所１１の外周面が先端に向うに従って徐々に緩やかなカーブを呈して細くなる形状に縮径したものであるので、当該縮径個所の先端がシールパッキン１の内周の径よりも細くなっていて同シールパッキン１内を通し易くするものであって、上記問題点の回避に極めて具合の良いものであり、また縮径個所１２の先端部１３の内周面を削り落し加工により短管９の中心軸と略平行する向きの面となすことによって同先端部１３の内径を削り落し加工前よりも径大としたものであるので、当該縮径個所が上記縮径加工が施された割には流水の妨害には然程ならないものであって、流水の最大可能量の減量を起してしまう惧れの極めて少ないという優れた効果を奏するものであり、
【００１２】
また、請求項２係る融雪用配管ブロック構造は、連結管１４の中間部を屈曲若くは分岐した形状であることを特徴とするので、請求項１記載の発明の効果に加えて、道路や駐車場などの路面の状態に合せて配管の配列方向を変えたり分岐したりするのに都合がよく配管工事の施工を容易にする利点があり、
【００１３】
また、請求項３係る融雪用配管ブロック構造は、連結管１４がステンレス製であるので、請求項１記載または請求項２記載の発明の効果に加えて、連結部分には錆による腐食の懸念がない好ましいものである。
【図面の簡単な説明】
【図１】本発明の実施例を示す断面図である。
【図２】要部拡大縦断面図である。
【図３】連結管を示す一部切截正面図である。
【図４】同じく要部の断面図である。
【図５】別異の連結管を示す一部切截正面図である。
【図６】別異の連結管を示す一部切截正面図である。
【図７】別異の連結管を示す一部切截正面図である。
【図８】別異の連結管を示す一部切截正面図である。
【図９】従来例を示す要部の断面図である。
【符号の説明】
１  シールパッキン
２  受口
３  散水ノズル
４  枝管
５  送水管
６  長尺コンクリートブロック
７  散水口
８  配管ブロック
９  短管
１１  両端個所
１２  縮径個所
１３  先端部
１４  連結管
１５  両端部
１６  ストッパー
１７  目地材
１８  削り落し部
【図１】
0003568429.tif 000002
【図２】
0003568429.tif 000003
【図３】
0003568429.tif 000004
【図４】
0003568429.tif 000005
【図５】
0003568429.tif 000006
【図６】
0003568429.tif 000007
【図７】
0003568429.tif 000008
【図８】
0003568429.tif 000009
【図９】
0003568429.tif 000010